(57)【要約】【課題】  ディスクにラベルを正確に粘着することができ、且つディスクが定位置に安定的に回復できるディスク用ラベル付け機を提供する。【解決手段】  本考案は、ディスクにラベルを付けるディスク用ラベル付け機において、中心に円柱が設けられた台座と、ディスクに付けるラベルを載せるラベル固定台と、加圧部と、外径が加圧部よりも大きい受け部と、を含み、受け部にディスクを載せるディスク固定台と、昇降軸と、ブレーキと、圧縮バネと、昇降軸の外周にラックが設けてあり、ブレーキはラックと噛合うギアを有し、加圧されないときは、ディスク固定台が定位置に位置し、ディスク固定台が加圧力を受けて下降するときに、加圧力が昇降軸を介して圧縮バネに伝達され、加圧力が無くなると、圧縮バネにより昇降軸が復帰され、ラックと噛合うギアにより昇降軸の復帰速度が落とされ、ディスク固定台が定位置へ徐々に復帰可能になる昇降ユニットとを含むことを特徴とする。【選択図】図６
0003130524.tif 000002
【実用新案登録請求の範囲】
【請求項１】
ディスク（５０）にラベル（６０）を付けるディスク用ラベル付け機において、
中心に円柱（３１）が設けられた台座（３０）と、
ディスク（５０）に付けるラベル（６０）を載せるラベル固定台（２０）と、
加圧部（１１）と、外径が加圧部（１１）よりも大きい受け部（１２）と、を含み、前記受け部（１２）にディスク（５０）を載せるディスク固定台（１０）と、
昇降軸（４１）と、ブレーキ（４３）と、圧縮バネ（４４）と、を含み、
前記圧縮バネ（４４）が昇降軸（４１）内に組み付けられ、前記ディスク固定台（１０）を上下動可能にするために、前記昇降軸（４１）は、一端が前記ディスク固定台（１０）と連接し、他端が台座（３０）に設けられた円柱（３１）に嵌められ、前記昇降軸（４１）の外周にラック（４５）が設けてあり、前記ブレーキ（４３）は前記ラック（４５）と噛合うギア（４２）を有し、加圧されないときは、前記ディスク固定台（１０）が定位置に位置し、前記ディスク固定台（１０）が加圧力を受けて下降するときに、前記加圧力が前記昇降軸（４１）を介して圧縮バネ（４４）に伝達され、前記加圧力が無くなると、前記圧縮バネ（４４）により昇降軸（４１）が復帰され、前記ラック（４５）と噛合うギア（４２）により前記昇降軸（４１）の復帰速度が落とされ、ディスク固定台（１０）が定位置へ徐々に復帰可能になる昇降ユニット（４０）と、
を含むことを特徴とするディスク用ラベル付け機。
【請求項２】
前記受け部（１２）の底部には、前記ラベル固定台（２０）にある穴（２１）の直径よりも大きい環状枠（１３）が設けてあり、前記環状枠（１３）により前記ディスク固定台（１０）が前記ラベル固定台（２０）から離脱できないようになっていることを特徴とする請求項１に記載のディスク用ラベル付け機。
【請求項３】
前記受け部（１２）には、ラベル（６０）の内径と係合する突条付き片（１４）が複数に設けてあることを特徴とする請求項１に記載のディスク用ラベル付け機。
【考案の詳細な説明】
【技術分野】
【０００１】
本考案は、ディスク用ラベル付け機に係り、特に、昇降ユニットが改良されたディスク用ラベル付け機に関するものである。
【背景技術】
【０００２】
ディスクはデジタル化された資料を記憶する媒体であり、ディスク書き込み装置の普及に従って、ディスクにより資料を記憶することが多くなっている。しかし、ディスクに資料が書き込まれたかどうかは外観で判断できないため、ディスクのラベル面にマークを付けることが一般に行なわれている。ラベル面にマークを付ける方法としては、マジックペンによることが多いが、マジックペンのインクには毒性があり、且つマークを付けようとするディスクが多いと、マークに要する時間も長くなる。また、ディスク用ラベルをディスクに付ける方法もあるが、ディスク用ラベル付け機は、高価なので、手軽に入手できない。
【０００３】
米国特許第５７８３０３３号公報に提案されたものは、主に、ラベル台座と、ディスク支持ロッドと、円管形状容器と、圧縮バネと、から構成され、ディスク支持ロッドがラベル台座に嵌められ、圧縮バネは、円管形状容器内に設置され、ディスク支持ロッドの下方に組み付けられている。使用時には、ラベルの粘着面を上にしてラベル台座に設置し、ディスクのラベルを粘着しようとする面を下にしてディスクをディスク支持ロッドに装着する。
【０００４】
そして、ディスク支持ロッドに力を加えると、ディスク支持ロッドの一部がラベル台座に沈んで、ディスクがラベルと粘着する。押え力を停止すると、圧縮バネによりディスク支持ロッドが本来の位置に回復する。しかし、ディスク支持ロッドは別の支持ポイントがないので、力を加えている際には、バネの受ける力が不均一であることによりバネがずれ、ラベルの粘着箇所も予定位置からずれるようになる。そしてバネが回復する際に、ディスクが外れ易いので、この製品の使用には高度の熟練度を必要とする。
【特許文献１】特開２００１−０１０６２３号公報
【考案の開示】
【考案が解決しようとする課題】
【０００５】
本考案の目的は、昇降ユニットを改良することにより、ディスクにラベルを正確に粘着することができ、且つディスクが定位置に安定的に回復できるディスク用ラベル付け機を提供することにある。
【課題を解決するための手段】
【０００６】
上記目的を達成するためになされた本願の考案は、ディスク（５０）にラベル（６０）を付けるディスク用ラベル付け機において、中心に円柱（３１）が設けられた台座（３０）と、ディスク（５０）に付けるラベル（６０）を載せるラベル固定台（２０）と、加圧部（１１）と、外径が加圧部（１１）よりも大きい受け部（１２）と、を含み、前記受け部（１２）にディスク（５０）を載せるディスク固定台（１０）と、昇降軸（４１）と、ブレーキ（４３）と、圧縮バネ（４４）と、を含み、前記圧縮バネ（４４）が昇降軸（４１）内に組み付けられ、前記ディスク固定台（１０）を上下動可能にするために、前記昇降軸（４１）は、一端が前記ディスク固定台（１０）と連接し、他端が台座（３０）に設けられた円柱（３１）に嵌められ、前記昇降軸（４１）の外周にラック（４５）が設けてあり、前記ブレーキ（４３）は前記ラック（４５）と噛合うギア（４２）を有し、加圧されないときは、前記ディスク固定台（１０）が定位置に位置し、前記ディスク固定台（１０）が加圧力を受けて下降するときに、前記加圧力が前記昇降軸（４１）を介して圧縮バネ（４４）に伝達され、前記加圧力が無くなると、前記圧縮バネ（４４）により昇降軸（４１）が復帰され、前記ラック（４５）と噛合うギア（４２）により前記昇降軸（４１）の復帰速度が落とされ、ディスク固定台（１０）が定位置へ徐々に復帰可能になる昇降ユニット（４０）と、を含むことを特徴とする。
【０００７】
前記受け部（１２）の底部には、前記ラベル固定台（２０）にある穴（２１）の直径よりも大きい環状枠（１３）が設けてあり、前記環状枠（１３）により前記ディスク固定台（１０）が前記ラベル固定台（２０）から離脱できないようになっていることを特徴とする。
【０００８】
前記受け部（１２）には、ラベル（６０）の内径と係合する突条付き片（１４）が複数に設けてあることを特徴とする。
【考案の効果】
【０００９】
本考案のディスク用ラベル付け機によれば、ディスクにラベルを正確に粘着することができ、且つディスクが定位置に安定的に回復できる効果を有する。
【考案を実施するための最良の形態】
【００１０】
以下、図面を参照して本考案の好適な実施例について詳細に説明する。
【実施例】
【００１１】
図１は本考案による実施例の組立状態を示す斜視図であり、図２は分解斜視図その１である。本考案のディスク用ラベル付け機の実施例は、ラベル固定台２０と、ディスク固定台１０と、台座３０と、昇降ユニット４０と、を含む。
図３は分解斜視図その２であり、図４は断面図である。ラベル固定台２０は、台座３０の上に設置され、その中心にはディスク固定台１０を貫通する穴２１が開設してある。ディスク固定台１０、ラベル固定台２０と台座３０の中心は同軸であり、ディスク固定台１０は、加圧部１１と、外径が加圧部１１よりも大きい受け部１２と、を含み、且つ加圧部１１の外径がディスク５０の中心にある穴の内径よりも小さくなっているため、ディスク５０の中心穴に加圧部１１を貫入した際、加圧部１１とディスクの間に隙間が出来ることはない。
【００１２】
図６に示すように、受け部１２の外径は、ディスク５０の中心穴の内径よりも大きいため、受け部１２の上にディスク５０を安定的に載せることが出来る。本実施例では、受け部１２の外周には外周方向に等間隔に突条付き片１４が三つ設けてあり、突条付き片１４がラベル６０の内径に係合するようになっている。受け部１２の底部には、ラベル固定台２０の穴２１の直径よりも大きい環状枠１３が設けられ、この環状枠１３によりディスク固定台１０がラベル固定台２０から離脱出来ないようになっている。
【００１３】
台座３０の中心には円柱３１が設けてあり、昇降ユニット４０は、台座３０の上に設置され、昇降軸４１と、ブレーキ４３と、圧縮バネ４４と、からなっている。圧縮バネ４４は昇降軸４１内に組み付けられ、昇降軸４１は、ディスク固定台１０を上下動可能にするために、一端がディスク固定台１０と連接し、他端が台座３０に設けられた円柱３１に挿入されている。昇降軸４１の外周部には上下方向にラック４５が設けられ、ブレーキ４３はラック４５と噛合うギア４２と結合している。
【００１４】
加圧部１１への加圧がない場合は、ディスク固定台１０が定位置にあり、ディスク固定台１０が加圧力を受けて下降するときは、加圧力が昇降軸４１を介して圧縮バネ４４に伝達され、加圧力が無くなると、圧縮バネ４４により昇降軸４１が復帰され、ラック４５と噛合うギア４２により昇降軸４１の復帰速度が落とされて、ディスク固定台１０が定位置へ徐々に回復可能となる。
【００１５】
次に、本考案による実施例の使用方法について説明する。図５〜図７に示すように、ラベル６０の粘着面を上にしてラベル固定台２０に装着し、ディスク５０のラベルを粘着しようとする面を下にしてディスク５０を受け部１２の上に載せる。そして、加圧部１１に力を加えると、昇降軸４１が下降して圧縮バネ４４を圧縮し、受け部１２がラベル固定台２０に沈んで突条付き片１４によりラベル６０がラベル固定台２０に固定される。ラベル６０にディスク５０が接触して粘着が終了すると、加圧部１１に加える力を止め、圧縮バネ４４により昇降軸４１は本来位置に復帰する。
【００１６】
ブレーキ４３と結合しているギア４２は、ラック４５と噛合っているため、昇降軸４１の回復速度は低くなり、ディスク固定台１０は、定位置に徐々に回復する。また、本考案のディスク用ラベル付け機によれば、ディスク５０にラベル６０を平坦に粘着することができ、且つディスク固定台１０が定位置に徐々に回復するので、復帰時のディスクの急激な上昇を回避でき、ラベル６０をずれなく粘着することができる。
【００１７】
以上、本考案の好ましい実施形態について説明したが、本考案は前記実施形態に限定されず、本考案の属する技術範囲を逸脱しない範囲での全ての変更が含まれる。
【図面の簡単な説明】
【００１８】
【図１】本考案の実施例の組立状態の斜視図である。
【図２】本考案の実施例の分解斜視図その１である。
【図３】本考案の実施例の分解斜視図その２である。
【図４】本考案の実施例の断面図である。
【図５】本考案の実施例の第一使用状態を示す断面図である。
【図６】本考案の実施例の第二使用状態を示す断面図である。
【図７】本考案の実施例の第三使用状態を示す断面図である。
【符号の説明】
【００１９】
１０      ディスク固定台
１１      加圧部
１２      受け部
１３      環状枠
１４      突条付き片
２０      ラベル固定台
２１      穴
３０      台座
３１      円柱
４０      昇降ユニット
４１      昇降軸
４２      ギア
４３      ブレーキ
４４      圧縮バネ
４５      ラック
５０      ディスク
６０      ラベル
【図１】
0003130524.tif 000003
【図２】
0003130524.tif 000004
【図３】
0003130524.tif 000005
【図４】
0003130524.tif 000006
【図５】
0003130524.tif 000007
【図６】
0003130524.tif 000008
【図７】
0003130524.tif 000009